(57)【特許請求の範囲】
【請求項１】
上部横桟部材と下部横桟部材間に、複数の支柱部材を平行リンク機構を構成するように回動可能に連結し、上記支柱部材を起立姿勢で保持する保持機構を設けた折り畳み式サイドレールにおいて、複数の隣接する支柱部材間に、厚さ方向にずらした柵部材を上記平行リンク機構と連動して回動可能に連結する構成とし、前記柵部材は板状体として構成すると共に、その高さ方向の中間部を、前記支柱部材の中間部からサイドレールの厚さ方向に突設した支持棒体により前記厚さ方向にずらして回転可能に連結して支持することにより、前記柵部材の下側を前記下部横桟部材を越えて下降可能に構成していることを特徴とする折り畳み式サイドレール。
【請求項２】
上部横桟部材と下部横桟部材間に、複数の支柱部材を平行リンク機構を構成するように回動可能に連結し、上記支柱部材を起立姿勢で保持する保持機構を設けた折り畳み式サイドレールにおいて、複数の隣接する支柱部材は、交互にサイドレールの厚さ方向にずらして配置したことを特徴とする折り畳み式サイドレール。
【発明の詳細な説明】
【技術分野】
【０００１】
本発明は、ベッド等用の折り畳み式サイドレール、特に、上部横桟部材と下部横桟部材間に、複数の支柱部材を平行リンク機構を構成するように回動可能に連結した構成の折り畳み式サイドレールに関するものである。
【背景技術】
【０００２】
ベッドのサイドレールとしては各種のものが従来から提供されているが、このうち、上部横桟部材と下部横桟部材間に、複数の支柱部材を平行リンク機構を構成するように回動可能に連結し、上記支柱部材を起立姿勢で保持して使用状態とすると共に、複数の支柱部材を回動下降させて上部横桟部材を平行に下降して不使用時の格納状態とする折り畳み式サイドレールが広く使用されている。そして、このような折り畳み式サイドレールでは、不使用時の格納状態において、上部横桟部材の高さが低く維持されることが望まれる。
【０００３】
このような折り畳み式サイドレールの従来技術としては、例えば特許文献１、特許文献２に記載されるもの等、多数のものがある。
図７〜図１１はこのような従来の折り畳み式サイドレールを模式的に示すものであり、この折り畳み式サイドレールは、上部横桟部材ａと下部横桟部材ｂ間に、複数の支柱部材ｃを平行リンク機構を構成するように回動可能に連結し、上記支柱部材ｃを起立姿勢で保持する保持機構ｄを設けた構成である。ここで複数の支柱部材ｃは、図９に示されるように断面形状が正方形や円形のもを基本とし、それらの面取りをしたり一部湾曲させたりして構成されているものが多い。尚、このような折り畳み式サイドレールの動作は、使用状態を示す図７及び格納状態を示す図８により自明であるので、説明は省略する。
【０００４】
ところでこのような折り畳み式サイドレールを医療用のベッドにおいて使用する場合においては、特に安全に使用できるようにするために、各部の寸法等が規格、例えばＩＥＣ規格により規定されつつある。
【０００５】
即ち、ＩＥＣ規格においては、例えばサイドレールが格子状に構成されている場合のように閉空間を有する場合には、その空間の寸法、即ち図中寸法Ａは、使用者の頭が入らないようにするために１２０ｍｍ以下とするように規定される。また、上部横桟部材ａの端部とヘッドボードとの隙間等のように、隙間により開いた空間部がある場合には、この隙間の寸法Ｂは、使用者の首が入らないようにするために６０ｍｍ以下とするか、又は頭が引っ掛からないようにするために２３５ｍｍ以上とするように規定される。
【０００６】
ここで、図７のサイドレールにおいて、寸法Ａが上記規定を満たさない場合において、これを規定を満たすように変更する方法としては、図１０に示すように、サイドレールの単位横幅当たりの支柱部材ｃの本数を増加させることが考えられる。即ち、図１０のものではサイドレール全体としての支柱部材ｃの本数を、図７のものよりも倍増している。
【特許文献１】特許第２６９７７６５号公報
【特許文献２】特許第３０２９０２６号公報
【発明の開示】
【発明が解決しようとする課題】
【０００７】
しかしながら図１０に示すように、サイドレールの単位横幅当たりの支柱部材ｃの本数を増加させると、図１１に示すように格納状態における上部横桟部材ａの高さＣが、図７のサイドレールと比較して高くなってしまい、格納時に邪魔となってしまう。
本発明は、以上の点に鑑みて創案されたもので、即ち、サイドレールにおいて規定される上述した寸法Ａを満たしながら、且つ、格納時のサイドレールの上部横桟部材の高さが高くなってしまうことを防止することを目的とするものである。
【課題を解決するための手段】
【０００８】
上述した課題を解決するために、本発明では、上部横桟部材と下部横桟部材間に、複数の支柱部材を平行リンク機構を構成するように回動可能に連結し、上記支柱部材を起立姿勢で保持する保持機構を設けた折り畳み式サイドレールにおいて、複数の隣接する支柱部材間に、厚さ方向にずらした柵部材を上記平行リンク機構と連動して回動可能に連結する構成とし、前記柵部材は板状体として構成すると共に、その高さ方向の中間部を、前記支柱部材の中間部からサイドレールの厚さ方向に突設した支持棒体により前記厚さ方向にずらして回転可能に連結して支持することにより、前記柵部材の下側を前記下部横桟部材を越えて下降可能に構成している折り畳み式サイドレールを提案する。
【００１０】
また本発明では、上部横桟部材と下部横桟部材間に、複数の支柱部材を平行リンク機構を構成するように回動可能に連結し、上記支柱部材を起立姿勢で保持する保持機構を設けた折り畳み式サイドレールにおいて、複数の隣接する支柱部材は、交互にサイドレールの厚さ方向にずらして配置した折り畳み式サイドレールを提案する。
【発明の効果】
【００１１】
まず請求項１、２の折り畳み式サイドレールでは、複数の支柱部材を増加させずに、支柱部材間に連結した柵部材によりサイドレールにおいて規定される寸法を満たすことができ、この柵部材は、複数の支柱部材とは、サイドレールの厚さ方向にずらしているので、格納状態における上部横桟部材の高さを高くしてしまうことがない。
【００１２】
請求項３の折り畳み式サイドレールでは、複数の支柱部材を増加させることにより、サイドレールにおいて規定される寸法を満たすことができ、そして支柱部材は、複数の隣接するものが交互にサイドレールの厚さ方向にずらして配置されているので、ずらした夫々の複数の支柱部材は、夫々の位置で重なるので、格納状態における上部横桟部材の高さを高くしてしまうことがない。
【発明を実施するための最良の形態】
【００１３】
次に本発明の折り畳み式サイドレールの実施の形態を添付図面を参照して説明する。
まず図１、図２は本発明を適用した折り畳み式サイドレールの第１の実施の形態を示すものである。
図において、符号１ｕは上部横桟部材、１ｄは下部横桟部材であり、これらの上部横桟部材１ｕと下部横桟部材１ｄ間に、複数の支柱部材２、この場合６本の支柱部材２を、平行リンク機構を構成するように回動可能に連結している。
【００１４】
図１において、符号３は下部横桟部材１ｄの下方に突設した取付棒体であり、この取付棒体３をベッドのフレームの上面に形成した嵌合孔に嵌合することにより、サイドレールをベッドの側部４（図３、図４に示す。）に取り付ける構成としている。また符号５は支柱部材２を起立状態、即ちサイドレールの使用状態に保持するための保持機構であり、この保持機構５は、例えば上記特許文献１、特許文献２に記載されているような機構である。
【００１５】
そしてこの実施の形態では、左右端部の支柱部材２の中間部からサイドレールの厚さ方向に支持棒体６を突設しており、これらの支持棒体６の先端側に板状の柵部材７を連結している。この場合、支持棒体６と支柱部材２又は支持棒体６と柵部材７の間の少なくとも一方側は回転可能に構成している。図では、符号８において回転可能に構成している。尚、柵部材７は他の支柱部材２に対しても回転可能に連結することもできる。
【００１６】
以上の構成において支柱部材２を図１の状態から図中反時計回りに回動すると、図２に示すように複数の支柱部材２が重なって格納状態とすることができる。図２に示すように、柵部材７は上記平行リンク機構と連動して下降し、複数の支柱部材２とは、サイドレールの厚さ方向にずらしているので、格納状態における上部横桟部材１ｕの高さを高くしてしまうことがない。
【００１７】
従ってこの実施の形態では、複数の支柱部材２を増加させずに、支柱部材２間に連結した柵部材７によりサイドレールにおいて規定される寸法を満たすことができ、そして上述したように格納状態における上部横桟部材１ｕの高さを高くしてしまうことがない。
【００１８】
次に図３、図４は本発明を適用した折り畳み式サイドレールの第２の実施の形態を示すものである。この実施の形態において、第１の実施の形態の構成要素に相当する構成要素には同一の符号を付すものとする。また図においては保持機構は図示を省略している。
図において、符号１ｕは上部横桟部材、１ｄは下部横桟部材であり、これらの上部横桟部材１ｕと下部横桟部材１ｄ間に、複数の支柱部材２、この場合１５本の支柱部材２を、平行リンク機構を構成するように回動可能に連結している。
【００１９】
この場合、複数の隣接する支柱部材は、交互にサイドレールの厚さ方向にずらして配置している。図では、手前側の支柱部材を２ａとして示し、奥側の支柱部材を２ｂにより示している。
【００２０】
以上の構成において支柱部材２ａ，２ｂを３の状態から回動下降すると、複数の支柱部材２が重なって格納状態とすることができる。この場合、支柱部材２ａ，２ｂは、複数の隣接するものが交互にサイドレールの厚さ方向にずらして配置されているので、ずらした夫々の複数の支柱部材２ａ，２ｂは、夫々の位置で重なるので、格納状態における上部横桟部材１ｕの高さを高くしてしまうことがない。
【００２１】
従ってこの実施の形態の場合には、複数の支柱部材２ａ，２ｂを増加させることにより、サイドレールにおいて規定される寸法を満たすことができ、そして支柱部材２ａ，２ｂは、複数の隣接するものが交互にサイドレールの厚さ方向にずらして配置されているので、格納状態における上部横桟部材１ｕの高さを高くしてしまうことがない。
【００２２】
次に図５、図６は本発明を適用した折り畳み式サイドレールの第３の実施の形態を示すものである。この実施の形態において、第２の実施の形態の構成要素に相当する構成要素には同一の符号を付すものとする。この図においても保持機構は図示を省略している。
この実施の形態は、図４の手前側の支柱部材２ａに相当する支柱部材２ａの形状を、図中手前側に湾曲させた構成としたものであり、その動作は第２の実施の形態と同様であるので重複する説明は省略する。
【産業上の利用可能性】
【００２３】
本発明の折り畳み式サイドレールは以上の通りであるので、サイドレールにおいて規定される寸法を満たしながら、且つ、格納時のサイドレールの上部横桟部材の高さが高くなってしまうことを防止することができ、医療用のベッドやストレッチャー用のサイドレールとして最適である。
【００２４】
勿論、本発明の折り畳み式サイドレールは、医療用のベッドばかりでなく、家庭用の介護ベッドや、一般のベッドにも利用できるものである。
【図面の簡単な説明】
【００２５】
【図１】本発明の折り畳み式サイドレールの第１の実施の形態を使用状態において示す斜視図である。
【図２】本発明の折り畳み式サイドレールの第１の実施の形態を格納状態において示す正面図であり、柵部材は２点鎖線で示している。
【図３】本発明の折り畳み式サイドレールの第２の実施の形態を使用状態において示す斜視図である。
【図４】本発明の折り畳み式サイドレールの第２の実施の形態を使用状態において示す側面図である。
【図５】本発明の折り畳み式サイドレールの第３の実施の形態を使用状態において示す斜視図である。
【図６】本発明の折り畳み式サイドレールの第３の実施の形態を格納状態において示す斜視図である。
【図７】従来の折り畳み式サイドレールの一例を使用状態において示す正面図である。
【図８】従来の折り畳み式サイドレールの一例を格納状態において示す正面図である。
【図９】図７のＹ−Ｙ線断面の対応個所を便宜的に短縮して示す説明図である。
【図１０】従来の折り畳み式サイドレールの支柱部材を増加させた状態を示す使用状態の正面図である。
【図１１】従来の折り畳み式サイドレールの支柱部材を増加させた状態を示す格納状態の正面図である。
【符号の説明】
【００２６】
１ｕ              上部横桟部材
１ｄ              下部横桟部材
２、２ａ、２ｂ    支柱部材
３            取付棒体
４            ベッドの側部
５            保持機構
【図１】
0005099897.tif 000002
【図２】
0005099897.tif 000003
【図３】
0005099897.tif 000004
【図４】
0005099897.tif 000005
【図５】
0005099897.tif 000006
【図６】
0005099897.tif 000007
【図７】
0005099897.tif 000008
【図８】
0005099897.tif 000009
【図９】
0005099897.tif 000010
【図１０】
0005099897.tif 000011
【図１１】
0005099897.tif 000012